(57)【要約】【課題】  動作効率の優れたスターリング機関を提供する。【解決手段】  スターリング冷凍機１は、ケーシング２と、該ケーシング２に組付けられたシリンダ３と、シリンダ３内で往復動するピストン４およびディスプレーサ５と、再生器６と、圧縮空間７ａと膨張空間７ｂとを含む作動空間７と、放熱部（ウォームヘッド）８と、吸熱部（コールドヘッド）９と、ピストン駆動手段としてのリニアモータ１３と、ピストンスプリング１４と、ディスプレーサスプリング１５と、ディスプレーサロッド１６と、背圧空間１７と、リニアモータ１３に電圧を印加する給電手段１８とを備える。給電手段１８は、ピストン４の共振周波数と駆動周波数とが異なるような交流電圧をリニアモータ１３に印加する。【選択図】        図１
2005195305.tif 000002
【特許請求の範囲】
【請求項１】
ケーシングと、
前記ケーシングに組付けられたシリンダと、
前記シリンダ内で往復動するピストンと、
前記ピストンを前記シリンダ内で往復動させるピストン駆動手段とを具備して成り、
前記ピストンの共振周波数と該ピストンの駆動周波数とを異ならせてなるスターリング機関。
【請求項２】
ケーシングと、
前記ケーシングに組付けられたシリンダと、
前記シリンダ内で往復動するピストンおよびディスプレーサと、
前記ピストンを前記シリンダ内で往復動させるピストン駆動手段と、
前記ピストンの共振周波数と異なる周波数の交流電圧を前記ピストン駆動手段に印加する給電手段とを備えたスターリング機関。
【請求項３】
ケーシングと、
前記ケーシングに組付けられたシリンダと、
前記シリンダ内で往復動するピストンおよびディスプレーサと、
前記ピストンを前記シリンダ内で往復動させるピストン駆動手段と、
前記ピストンの共振周波数より大きな周波数の交流電圧を前記ピストン駆動手段に印加する給電手段とを備えたスターリング機関。
【請求項４】
最高出力値が２５０Ｗ以上１２００Ｗ以下である、請求項３に記載のスターリング機関。
【発明の詳細な説明】
【技術分野】
【０００１】
本発明は、スターリング機関に関し、特に、フリーピストン型スターリング機関に関する。
【背景技術】
【０００２】
従来から、スターリング機関の一例として、フリーピストン型スターリング冷凍機は知られている。このスターリング冷凍機では、ケーシングに組付けられたシリンダ内にディスプレーサとピストンとを配設して膨張空間と圧縮空間とを含む作動空間を設けている。作動空間の内部にはヘリウムなどの作動媒体が存在しており、膨張空間と圧縮空間とは作動媒体通路を介して連通している。作動媒体通路には、作動媒体の熱を蓄積するとともに蓄積した熱を作動媒体に供給する再生器が配設されている。
【０００３】
ピストンは、後端でピストンスプリングと一体化され、リニアモータなどによってシリンダの軸方向に往復駆動される。ディスプレーサは、ピストンを貫通するディスプレーサロッドを介してディスプレーサスプリングと一体化される。該ディスプレーサスプリングとピストンスプリングとはボルトにより連結され、背圧空間内に配置される。
【０００４】
ピストンをシリンダの軸方向に往復運動させると、作動媒体に周期的な圧力変化がもたらされ、それによりディスプレーサも所定の位相差をもってシリンダの軸方向に往復運動する。
【０００５】
なお、上記のようなフリーピストン型のスターリング機関が、たとえば特開２０００−３９２２２号公報などに記載されている。
【０００６】
また、特開２０００−１９９６５３号公報において、ピストンの駆動周波数を、ディスプレーサを弾性支持するバネのバネ定数に応じた周波数に最適制御したスターリング冷凍機の制御方法が開示されている。
【特許文献１】特開２０００−３９２２２号公報
【特許文献２】特開２０００−１９９６５３号公報
【発明の開示】
【発明が解決しようとする課題】
【０００７】
しかしながら、上記のようなスターリング機関においては、以下のような問題があった。
【０００８】
上述のように、フリーピストン型スターリング機関ではピストンとディスプレーサとは所定の位相差をもってシリンダの軸方向に往復運動する。ここで、成績係数（ＣＯＰ）値を向上させる観点でのピストンの共振周波数と駆動周波数との最適な関係については、従来技術において示唆されていないが、一般的には、共振周波数と駆動周波数とを一致させることが最も効果的であると考えられる。
【０００９】
しかしながら、本願発明者が、上記共振周波数と駆動周波数との関係に着目して研究を進めたところ、ピストンの共振周波数と駆動周波数とが一致したときに、成績係数（ＣＯＰ）値が最も大きくなるわけではないということがわかった。したがって、成績係数値を向上させるために、上記共振周波数と駆動周波数との比を、最適な値に設定する必要がある。
【００１０】
本発明は、上記のような課題を解決するためになされたものであり、成績係数（動作効率）の優れたスターリング機関を提供することを目的とする。
【課題を解決するための手段】
【００１１】
本発明に係るスターリング機関は、ケーシングと、ケーシングに組付けられたシリンダと、シリンダ内で往復動するピストンと、ピストンをシリンダ内で往復動させるピストン駆動手段とを具備して成り、ピストンの共振周波数と該ピストンの駆動周波数とを異ならせてなる。あるいは、ケーシングと、ケーシングに組付けられたシリンダと、シリンダ内で往復動するピストンおよびディスプレーサと、ピストンをシリンダ内で往復動させるピストン駆動手段と、ピストン駆動手段に交流電圧を印加する給電手段とを備える。
【００１２】
上記給電手段は、１つの局面では、ピストンの共振周波数と異なる周波数の交流電圧をピストン駆動手段に印加し、他の局面では、ピストンの共振周波数よりも大きな周波数の交流電圧をピストン駆動手段に印加する。
【００１３】
ここで、ピストンの共振周波数よりも大きな周波数でピストンを駆動する場合においては、スターリング機関の最高出力値は２５０Ｗ以上１２００Ｗ以下程度であることが好ましい。
【００１４】
なお、ここでいう最高出力値とは、所定の仕様で設計されたスターリング機関が理論上実現可能な最大出力値を意味する。
【００１５】
上記いずれの局面においても、成績係数（ＣＯＰ）値を上昇させることができる。すなわち、動作効率の優れたスターリング機関を提供することができる。
【発明の効果】
【００１６】
本発明によれば、動作効率の優れたスターリング機関を提供することができる。
【発明を実施するための最良の形態】
【００１７】
以下に、本発明に基づくスターリング機関の実施の形態について、図１から図５を用いて説明する。
【００１８】
図１は、スターリング機関の一例であるスターリング冷凍機１の概略構成を示す断面図である。なお、以下の説明では、本発明をスターリング冷凍機に適用した例について説明するが、スターリング冷凍機以外のスターリング機関にも本発明は適用可能であると考えられる。
【００１９】
図１に示すように、本実施の形態のスターリング冷凍機１は、ケーシング２と、該ケーシング２に組付けられたシリンダ３と、シリンダ３内で往復動するピストン４およびディスプレーサ５と、再生器６と、圧縮空間７ａと膨張空間７ｂとを含む作動空間７と、放熱部（ウォームヘッド）８と、吸熱部（コールドヘッド）９と、ピストン駆動手段としてのリニアモータ１３と、ピストンスプリング１４と、ディスプレーサスプリング１５と、ディスプレーサロッド１６と、背圧空間１７とを備える。
【００２０】
ケーシング２は、スターリング冷凍機１の外殻（外壁）を構成する部分であり、シリンダ３をはじめとする種々の部品が該ケーシング２に組付けられる。図１の例では、ケーシング２は、単一の容器で構成されず、背圧空間１７を規定するとともにリニアモータ１１、ピストンスプリング１４およびディスプレーサスプリング１５を受け入れるベッセル部分と、放熱部８、再生器６および吸熱部９の外壁部分とで主に構成される。該ケーシング２の内部には、ヘリウムガスや水素ガス、窒素ガスなどの作動媒体が充填される。
【００２１】
シリンダ３は、略円筒状の形状を有し、内部にピストン４とディスプレーサ５とを往復動可能に受け入れる。シリンダ３内において、ピストン４とディスプレーサ５とは同軸上に間隔をあけて配置され、このピストン４およびディスプレーサ５によってシリンダ３内の作動空間７が圧縮空間７ａと膨張空間７ｂとに区画される。より詳しくは、作動空間７は、ピストン４におけるディスプレーサ５側の端面よりもディスプレーサ５側に位置する空間であり、ピストン４とディスプレーサ５との間に圧縮空間７ａが形成され、ディスプレーサ５と吸熱部９との間に膨張空間７ｂが形成される。圧縮空間７ａは主に放熱部８によって囲まれ、膨張空間７ｂは主に吸熱部９によって囲まれている。
【００２２】
圧縮空間７ａと膨張空間７ｂとの間には再生器６が配設されており、この再生器６を介してこれら両空間が連通する。それにより、スターリング冷凍機１内に閉回路が構成される。この閉回路内に封入された作動媒体が、ピストン４およびディスプレーサ５の動作に合わせて流動することにより、逆スターリングサイクルが実現する。
【００２３】
シリンダ３の外側に位置する背圧空間１７にはリニアモータ１３を配設する。リニアモータ１３は、インナーヨーク１０と、可動マグネット部１１と、アウターヨーク１２とを有し、このリニアモータ１３によって、シリンダ３の軸方向にピストン４を駆動する。
【００２４】
リニアモータ１３には、給電手段１８が接続される。給電手段１８からリニアモータ１３に印加される交流電圧の周波数が、ピストン４の駆動周波数となる。
【００２５】
ピストン４の一端は、板バネなどで構成されるピストンスプリング１４と接続される。該ピストンスプリング１４は、ピストン４に弾性力を付与する弾性力付与手段として機能する。該ピストンスプリング１４に弾性力を付加することにより、シリンダ３内でピストン４をより安定して周期的に往復動させることが可能となる。ディスプレーサ５の一端は、ディスプレーサロッド１６を介してディスプレーサスプリング１５と接続される。ディスプレーサロッド１６はピストン４を貫通して配設され、ディスプレーサスプリング１５は板バネなどで構成される。該ディスプレーサスプリング１５の周縁部と、ピストンスプリング１４の周縁部は、リニアモータ１３からピストン４の背圧空間１７側（以下、後方と称する場合がある。）に延びる支持部材により支持される。
【００２６】
ピストン４に対しディスプレーサ５と反対側には、ケーシング２のベッセル部分によって囲まれた背圧空間１７が配設されている。背圧空間１７は、ケーシング２のベッセル部分内でピストン４の周囲に位置する外周領域と、ケーシング２のベッセル部分内でピストン４よりもピストンスプリング１４側（後方側）に位置する後方領域とを含む。この背圧空間１７内にも、作動媒体が存在する。
【００２７】
本願発明者がスターリング機関について研究を進める中で、ピストンの共振周波数と駆動周波数との関係が、スターリング機関の動作効率に影響を与えることがわかってきた。そこで、本願発明者が、ピストン４の共振周波数と、駆動周波数と、スターリング冷凍機１の動作効率との関係について様々な検討を重ねた結果、スターリング冷凍機１におけるピストン４の共振周波数と駆動周波数との間に、１：１以外の好適な比率があることを知得した。
【００２８】
したがって、本実施の形態に係るスターリング機関１においては、ピストン共振周波数と駆動周波数を異ならせている。ここで、ピストン共振周波数は、後述するガススプリング定数および機械ばね定数で規定されるピストンのスプリング定数と、ピストンの質量とから求められる。したがって、作動媒体のガス圧、ピストン断面積、作動媒体の比熱、作動空間の体積およびピストン４を支持する機械ばねのばね定数などを調整することで、ピストン４の共振周波数が決定される。したがって、ディスプレーサ５の共振周波数に基づく駆動周波数のもとで、上記のパラメータを適宜変更することで、ピストン共振周波数と駆動周波数を異ならせることができる。
【００２９】
本願発明者は、上記のような知見を基にさらに研究を行ない、スターリング冷凍機１の最高出力値がある値以上である場合に、ピストン４の共振周波数／駆動周波数の比を１より小さくすることによりスターリング冷凍機１の動作効率を向上できることを見出すに至った。
【００３０】
以上のように、スターリング冷凍機１の最高出力値に応じてピストン共振周波数／駆動周波数の比を調整し、上記最高出力値を大きくするにつれて、ピストン共振周波数／駆動周波数の比を小さくすることにより、スターリング冷凍機１の動作効率を向上させることができる。
【００３１】
次に、本願発明者が行ったシミュレーション結果について、図２〜図５を用いて説明する。
【００３２】
図２は、最高出力値が１５０Ｗ程度の小型スターリング機関（スターリング冷凍機）についてのシミュレーション結果を示し、図３は、最高出力値が３００Ｗ程度の中型スターリング機関（スターリング冷凍機）についてのシミュレーション結果を示し、図４は、最高出力値が６００Ｗ程度の大型スターリング機関（スターリング冷凍機）についてのシミュレーション結果を示している。
【００３３】
シミュレーションの条件としては、最高出力値の条件下で、ピストン共振周波数／駆動周波数の比を変化させ、それぞれの比における成績係数（ＣＯＰ；Ｃｏｅｆｆｉｃｉｅｎｔ  Ｏｆ  Ｐｅｒｆｏｒｍａｎｃｅ）を算出した。
【００３４】
図２から図４に示すように、小型、中型、大型のいずれのスターリング冷凍機１においても、ピストン共振周波数／駆動周波数の比の値が大きくなるにつれて、スターリング機関の成績係数が向上し、ある値においてピークを迎えた後、低減しているのがわかる。つまり、スターリング冷凍機１の最高出力値に対し、ピストン４の共振周波数／駆動周波数の比を所定の値にすることにより、スターリング冷凍機１の成績係数（動作効率）を向上させることができる。
【００３５】
ここで、成績係数（ＣＯＰ）値に着目すると、小型、中型、大型のいずれのスターリング冷凍機１においても、ピストン４の共振周波数／駆動周波数の比を所定の値に調整することにより、その成績係数（ＣＯＰ）値を２以上とすることができる。具体的には、図２に示す小型（１５０Ｗ）のスターリング機関の場合には、ピストン共振周波数／駆動周波数の比の値を１．１以上１．３以下程度（より好ましくは、１．１５以上１．２５以下程度）とすることにより、成績係数（ＣＯＰ）値を２．４以上程度（より好ましい範囲においては２．５以上程度）とすることができ、図３に示す中型（３００Ｗ）のスターリング機関の場合には、ピストン４の共振周波数／駆動周波数の比の値を０．８７以上０．９８以下程度（より好ましくは、０．８８以上０．９５以下程度）とすることにより、成績係数（ＣＯＰ）値を２．４以上程度（より好ましい範囲においては２．４５以上程度）とすることができ、図４に示す大型（６００Ｗ）のスターリング機関の場合には、ピストン４の共振周波数／駆動周波数の比の値を０．８７以上０．９８以下程度（より好ましくは、０．８９以上０．９７以下程度）とすることにより、成績係数（ＣＯＰ）値を２．１以上程度（より好ましい範囲においては２．１５以上程度）とすることができる。
【００３６】
上記の結果より、スターリング冷凍機１が小型、中型、大型となるにつれて成績係数（ＣＯＰ）値が低下することがわかる。したがって、スターリング冷凍機１の能力が大きくなるにつれて、ピストン共振周波数／駆動周波数の比の値を適切な範囲内に調整することが好ましいことがわかる。
ところで、ピストンの共振周波数は、計算による算出方法と、実測による算出方法との２つの方法により求められる。
【００３７】
以下に、計算による共振周波数の算出方法について説明する。
【００３８】
ピストンの共振周波数ｆは、一般によく用いられる以下の式により算出される。
ｆ＝｛１／（２π）｝・√（Ｋ／ｍ）
ここで、ｍはピストンの質量である。また、Ｋはピストンのスプリング定数であり、ガススプリング定数Ｋｇと機械ばね定数Ｋｍとの合計により求められる。なお、機械ばね定数Ｋｍは、ピストンスプリング１４のばね定数であり実測可能である。また、ガススプリング定数Ｋｇは、以下の式により求められる。
Ｋｇ＝（Ｐ・γ・Ａ２）／Ｖ
ここで、Ｐは作動空間７およびケーシング２内に充填される作動媒体の圧力（Ｎ／ｍｍ２）であり、Ｖはピストンが中立位置にあるときの作動空間７の容量（ｍ３）であり、Ａはピストンの軸方向断面積（ｍ２）であり、γは作動媒体の比熱である。
【００３９】
次に、実測により共振周波数を求める方法について説明する。
【００４０】
スターリング機関を、温度一定、ピストン振幅一定の条件下で駆動させる。その際、駆動周波数およびその他のパラメータ（ディスプレーサスプリング定数など）を適宜変化させる。
【００４１】
上記のように、温度一定の条件下においては、ピストン振幅はモータに流れる電流値の大きさによって変化する。さらに、ピストン振幅を一定にすると、ピストン共振周波数と駆動周波数とが一致したときに、ピストンは最も低い電流値で振幅する。
【００４２】
したがって、温度一定、ピストン振幅一定の条件下においてスターリング機関を動作させたときに、最も入力電流が小さくなるときの駆動周波数がピストンの共振周波数となる。
【００４３】
なお、本願発明者は、上記計算による算出方法により求めたピストンの共振周波数と、上記実測による方法により求めた値とは、よく一致することを確認している。
【００４４】
上述したとおり、ピストンの共振周波数は、スターリング冷凍機１の内部構成によって変化する。そして、その共振周波数は、スターリング冷凍機１の成績係数（ＣＯＰ）値に影響を及ぼす。
【００４５】
これに対し、本実施の形態においては、ピストンの共振周波数が所定の値となるように、スターリング冷凍機１の内部構成を調整することで、成績係数（ＣＯＰ）値を向上させることができる。
【００４６】
図５は、図２から図４において、スターリング機関の成績係数（ＣＯＰ）値がピーク値を示すピストン共振周波数／駆動周波数の比の値と、それぞれのスターリング機関の最高出力値との関係を示す図である。
【００４７】
図５に示すように、成績係数（ＣＯＰ）値がピーク値となるピストン共振周波数／駆動周波数の比の値は、スターリング冷凍機１の最高出力値ごとに異なる。具体的には、スターリング冷凍機１が小型、中型、大型となるにつれて、成績係数（ＣＯＰ）値を大きくするために最適なピストン４の共振周波数／駆動周波数の比が小さくなる傾向にある。したがって、スターリング冷凍機１の能力が大きくなるにつれて、ピストン４の共振周波数／駆動周波数の比を小さくすることが好ましい。
【００４８】
具体的には、スターリング機関１の最高出力値が２５０Ｗ以上１２００Ｗ以下程度（より好ましくは３００Ｗ以上１０００Ｗ以下程度）である場合に、共振周波数／駆動周波数の比を１よりも小さくすることが好ましい。ここで、上記最高出力値の上限値（１０００Ｗ，１２００Ｗ）については、スターリング機関１が極端に大型化すると、その成績係数（ＣＯＰ）値が低下することを考慮して定めたものである。
【００４９】
なお、スターリング冷凍機１の最高出力値が３００Ｗ以上の範囲においては、スターリング冷凍機の成績係数（ＣＯＰ）値を大きくするのに最適なピストン４の共振周波数／駆動周波数の比の値はほぼ一定であるので、図４において説明した最高出力値が６００Ｗのスターリング冷凍機１よりも大型のスターリング冷凍機についても、ピストン４の共振周波数／駆動周波数の比の値の好ましい範囲は、図４の場合とほぼ同様であると考えられる。
【００５０】
本実施の形態においては、小型、中型、大型のそれぞれのスターリング冷凍機１に対して、上記の傾向に合わせながら、最適なピストン４の共振周波数／駆動周波数の比の値を選択することができる。また、成績係数（ＣＯＰ）値の低下が比較的大きい高出力のスターリング冷凍機１において、成績係数（ＣＯＰ）値を向上させることができる。
【００５１】
次に、本実施の形態におけるスターリング冷凍機１の動作について説明する。
【００５２】
まず、リニアモータ１３を作動させてピストン４を駆動する。リニアモータ１３によって駆動されたピストン４は、ディスプレーサ５に接近し、圧縮空間７ａ内の作動媒体（作動ガス）を圧縮する。
【００５３】
ピストン４がディスプレーサ５に接近することにより、圧縮空間７ａ内の作動媒体の温度は上昇するが、放熱部８によってこの圧縮空間７ａ内に発生した熱が外部へと放出される。そのため、圧縮空間７ａ内の作動媒体の温度はほぼ等温に維持される。すなわち、本過程は、逆スターリングサイクルにおける等温圧縮過程に相当する。
【００５４】
ピストン４がディスプレーサ５に接近した後にディスプレーサ５は吸熱部９側に移動する。他方、ピストン４によって圧縮空間７ａ内において圧縮された作動媒体は再生器６内に流入し、さらに膨張空間７ｂへと流れ込む。その際、作動媒体の持つ熱が再生器６に蓄熱される。すなわち、本過程は、逆スターリングサイクルの等容冷却過程に相当する。
【００５５】
膨張空間７ｂ内に流入した高圧の作動媒体は、ディスプレーサ５がピストン４側（ケーシング２のベッセル部分の後端側）へ移動することにより膨張する。このようにディスプレーサ５が後方側へ移動するのに伴い、ディスプレーサスプリング１５の中央部も後方側に突出するように変形する。
【００５６】
上記のように膨張空間７ｂ内で作動媒体が膨張することにより、膨張空間７ｂ内の作動媒体の温度は下降するが、吸熱部９によって外部の熱が膨張空間７ｂ内へと伝熱されるため、膨張空間７ｂ内はほぼ等温に保たれる。すなわち、本過程は、逆スターリングサイクルの等温膨張過程に相当する。
【００５７】
その後、ディスプレーサ５がピストン４から遠ざかる方向に移動し始める。それにより、膨張空間７ｂ内の作動媒体は再生器６を通過して再び圧縮空間７ａ側へと戻る。その際に再生器６に蓄熱されていた熱が作動媒体に与えられるため、作動媒体は昇温する。すなわち、本過程は、逆スターリングサイクルの等容加熱過程に相当する。
【００５８】
この一連の過程（等温圧縮過程−等容冷却過程−等温膨張過程−等容加熱過程）が繰り返されることにより、逆スターリングサイクルが構成される。この結果、吸熱部９は徐々に低温になり、極低温を有するに至る。
【００５９】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００６０】
【図１】本発明の１つの実施の形態におけるスターリング冷凍機の概略構成を示す断面図である。
【図２】小型（１５０Ｗ）スターリング機関のピストン共振周波数／駆動周波数の比の値と、成績係数（ＣＯＰ）との関係を示す図である。
【図３】中型（３００Ｗ）スターリング機関のピストン共振周波数／駆動周波数の比の値と、成績係数（ＣＯＰ）との関係を示す図である。
【図４】大型（６００Ｗ）スターリング機関のピストン共振周波数／駆動周波数の比の値と、成績係数（ＣＯＰ）との関係を示す図である。
【図５】図２から図４において、スターリング機関の成績係数（ＣＯＰ）がピーク値を示すピストン共振周波数／駆動周波数の比の値と、それぞれのスターリング機関の最高出力値との関係を示す図である。
【符号の説明】
【００６１】
１  スターリング冷凍機、２  ケーシング、３  シリンダ、４  ピストン、５  ディスプレーサ、６  再生器、７  作動空間、７ａ  圧縮空間、７ｂ  膨張空間、８  放熱部、９  吸熱部、１０  インナーヨーク、１１  可動マグネット部、１２  アウターヨーク、１３  リニアモータ、１４  ピストンスプリング、１５  ディスプレーサスプリング、１６  ディスプレーサロッド、１７  背圧空間、１８  給電手段。
【図１】
2005195305.tif 000003
【図２】
2005195305.tif 000004
【図３】
2005195305.tif 000005
【図４】
2005195305.tif 000006
【図５】
2005195305.tif 000007